(57)【要約】【課題】略同一トラックピッチでディスク記録容量が異なる複数種類の光ディスクの迅速な判別手段を備えた光ディスク装置を提供する【解決手段】装填された光ディスクの半径方向の所定位置に光ピックアップを移動し、光ディスクに予め記録されている前記所定位置のアドレス情報を取得する手段（２３）と、取得したアドレス情報を所定位置の基準アドレスと比較し、結果に応じて記録容量が異なる複数種類の光ディスクの判別を行う手段（２４）とを有する光ディスク装置とすることで、略同一トラックピッチでディスク記録容量が異なる複数種類の光ディスクの迅速な判別手段を備えた光ディスク装置を提供できる。【選択図】図１
2006228364.tif 000002
【特許請求の範囲】
【請求項１】
略同一トラックピッチで記録容量の異なる複数の光ディスクの判別を行って前記光ディスクの記録又は再生を行う光ディスク装置において、
前記光ディスクの所定位置にレーザー光を照射する光ピックアップと、
前記所定位置からの戻り光からアドレス情報を検出する検出手段と、
前記複数の光ディスクの記録容量の違いによって前記所定位置のアドレス情報に差異が生ずる関係を用いて、予め求められた基準アドレスと前記検出手段で取得された前記アドレス情報とを比較して、前記光ディスクの記録容量を判別する判別手段と、
を有することを特徴とする光ディスク装置。
【発明の詳細な説明】
【技術分野】
【０００１】
本発明は光ディスク装置に係り、特に記録容量が異なる複数種類の光ディスクの判別を迅速に行う光ディスク装置に関する。
【背景技術】
【０００２】
近年、光ディスクは、音声情報や映像情報、コンピュータデータなどの各種情報信号を高密度に記録でき、再生する際には所望のトラックを高速にアクセスできることから広く多用されている。
光ディスクを分類すると、予め音楽情報を記録した再生専用のＣＤ(Compact Disc)、予めコンピュータデータを記録した再生専用のＣＤ−ＲＯＭ(CD-Read Only Memory) 、情報信号を１回だけ記録できる記録再生可能なＣＤ−Ｒ(CD-Recordable) などのＣＤグループがあり、これらは一般にディスク基板厚みが１．２ｍｍの単一なディスク基板を用いている。
【０００３】
前記ＣＤよりも記録密度を高めた光ディスクとしては、予め映像や音声情報を圧縮記録した再生専用のＤＶＤ(Digital Versatile Disc)、予めコンピュータデータを記録した再生専用のＤＶＤ−ＲＯＭ(DVD-Read Only Memory)、情報信号を１回だけ記録できる記録再生可能なＤＶＤ−Ｒ(DVD-Recordable)、情報信号を複数回記録できる記録再生可能なＤＶＤ−ＲＷ(DVD-Rewritable)及びＤＶＤ−ＲＡＭ(DVD-Random Access Memory ) などのＤＶＤグループがあり、これらは一般にディスク基板厚みが０．６ｍｍのディスク基板を２枚貼り合わせて用いている。
更に最近では、上記ＤＶＤよりも一層高密度化を図って、情報信号を超高密度に記録再生できる「超高密度光ディスク」(例えば、Blu-ray Disc)が実用化されている。
【０００４】
上記の光ディスクは外観の形状がほぼ同一仕様になっているので、一台の光ディスク装置はディスクの駆動機構等を共通にして複数の光ディスクが使用できるよう設計することが可能である。その場合には、光ディスク装置内でディスクの種類の自動判別を行う必要があり、その判別手段の一例として、下記特許文献１では、光ディスク装置内の光ピックアップをディスク面の半径方向に移動させてトラックを横切らせ、ディスクの反射光からトラッキングエラー信号を検出し、このトラッキングエラー信号のレベルの大小からＣＤとＤＶＤとを判別する技術が開示されている。
【特許文献１】特開平１１−２５０５５８号公報（第６−７頁、図２）
【発明の開示】
【発明が解決しようとする課題】
【０００５】
ところが、前記超高密度光ディスクのBlu-ray Discにおいては、ほぼ同一トラックピッチの光ディスクでありながら、記録容量が異なる複数種類のディスクが作成されており、特許文献１に示すような従来の判別方法では、ＣＤ、ＤＶＤ、超高密度光ディスクの判別はできても、上記のような同一トラックピッチで記録容量の違う種類判別はできないという問題がある。
【０００６】
このため、このような光ディスクを装填したときは、正常な再生状態になってディスクに記録されている容量情報を読み出すまでの間は、この光ディスクの種類を知ることができず、このため記録容量の違いに応じた前処理が行えないなどの不具合があった。
本発明は、このような従来の問題点に鑑みなされたものであり、その目的は、ほぼ同一トラックピッチでディスク記録容量が異なる複数種類の光ディスクの迅速な判別手段を備えた光ディスク装置を提供することにある。
【課題を解決するための手段】
【０００７】
本発明は、上記課題を解決する手段として以下に記載の構成からなる。すなわち、略同一トラックピッチで記録容量の異なる複数の光ディスクの判別を行って前記光ディスクの記録又は再生を行う光ディスク装置において、前記光ディスクの所定位置にレーザー光を照射する光ピックアップと、前記所定位置からの戻り光からアドレス情報を検出する検出手段と、前記複数の光ディスクの記録容量の違いによって前記所定位置のアドレス情報に差異が生ずる関係を用いて、予め求められた基準アドレスと前記検出手段で取得された前記アドレス情報とを比較して、前記光ディスクの記録容量を判別する判別手段とを有することを特徴とする光ディスク装置である。
【発明の効果】
【０００８】
本発明によれば、ディスクの記録容量情報を読み出すことなく装填されている光ディスクの記録容量種類を判別することができる。これにより、ディスクの記録容量が未定のままで動作する不安定な状態を回避できる。また、ディスクの記録容量情報を読み出す処理を省略できることから、光ディスクの起動処理を高速化することが可能となる。
さらに、本発明による判別手段を他の光ディスク判別手段と組み合わせて使うことにより、光ディスクの種類判別の迅速化と高精度化を図ることができる。
【発明を実施するための最良の形態】
【０００９】
以下、本発明を実施するための最良の形態について、図面と共に説明する。
図１は本発明に係る光ディスク装置の構成を示すブロック図、図２はBlu-ray Discの各種記録容量別の半径とアドレスの関係を示す図、図３は半径４０ｍｍ近辺におけるBlu-ray Discの各種記録容量別の半径とアドレスの関係を示す図、図４は本発明に係る光ディスク装置の判別動作を説明するためのフローチャートである。
【００１０】
本実施例では、前記Blu-ray Disc（以下、ＢＤと略す）の判別を例に説明するので、ここでＢＤの概要を述べる。
仕様ではＢＤのトラックピッチは０．３２μｍに決められており、データ記録領域は半径２４ｍｍの位置から５８ｍｍの位置までとなっている。また、記録容量は回転数と記録マーク長によって異なり、２３ＧＢ（ギガバイト）、２５ＧＢ、２７ＧＢの３種がある。
単層のＢＤでは、アドレスはデータ記録領域の先頭である半径２４ｍｍの位置を基準に、内周から外周へ増加していく。また、２層のＢＤのアドレスは、レイヤー０では単層と同様に半径２４ｍｍの位置を基準にして内周から外周へ増加し、レイヤー１では半径２４ｍｍの位置を基準にして内周から外周へアドレスが減算されていく。
尚、以下の説明では、光ディスクの記録容量を判別する場合には再生用のレーザービームを用いる関係上、再生時を中心にして説明する。また、単層と２層のレイヤー０は同様の仕様であることから、主にＢＤの単層について述べる。
【００１１】
まず、図１を用いて本実施例の光ディスク装置の構成と各部の動作を説明する。
本実施例の光ディスク装置では、ＢＤ１１がターンテーブル１２上に回転自在に装着されており、このＢＤ１１に記録又は再生するための光ピックアップ１３がＢＤ１１の半径方向及び面に垂直方向に移動自在に設けられている。
光ピックアップ１３はＢＤ１１の信号面を走査して検出信号を得る。検出信号はプリアンプ１４に供給され、プリアンプ１４はこの検出信号を増幅してフォーカスエラー信号検出回路１５、トラッキングエラー信号検出回路１６、ＲＦ信号検出回路１７、ウォブル信号検出回路１８に夫々供給する。
【００１２】
フォーカスエラー信号検出回路１５は、入力された検出信号を基にフォーカスエラー信号を生成し、このフォーカスエラー信号をフォーカス制御回路２０に出力する。フォーカス制御回路２０からのフォーカス制御信号は光ピックアップ１３に供給され、光ピックアップ１３をＢＤ１１に対してフォーカス方向（面に垂直方向）に制御する。
【００１３】
次に、トラッキングエラー信号検出回路１６は、入力された検出信号を基にトラッキングエラー信号を生成し、このトラッキングエラー信号をトラッキング制御回路２１に出力する。トラッキング制御回路２１からのトラッキング制御信号は光ピックアップ１３に供給され、光ピックアップ１３をＢＤ１１に対してトラッキング方向（半径方向）に制御する。
【００１４】
尚、前記フォーカスエラー信号及びトラッキングエラー信号の生成方法は、良く知られているナイフエッジ法、ＳＳＤ法、プッシュプル法、３ビーム法等、種々の公知の技術によって行うことができる。
【００１５】
次に、ＲＦ信号検出回路１７は、入力された検出信号を基にＲＦ信号を得て、このＲＦ信号を再生信号処理回路２２に入力し、ここでＢＤ１１のフォーマット仕様に従った信号処理を行った後に再生信号を出力端子２５から外部に出力する。
【００１６】
次に、ウォブル信号検出回路１８は、入力された検出信号を基にウォブル信号を生成し、このウォブル信号をクロック生成回路１９と、アドレス検出回路２３に供給する。
クロック生成回路１９は、供給されたウォブル信号を基にしてクロック信号を生成し、このクロック信号をスピンドルモータ駆動制御回路２８へ出力する。そして、スピンドルモータ駆動制御回路２８からのスピンドルモータ制御信号をスピンドルモータ２９に供給することで光ディスクの回転数が制御される。
【００１７】
また、アドレス検出回路２３は、供給されたウォブル信号を基にアドレスを得て、このアドレスを出力端子２６から外部に出力すると共に、光ディスク種類判別回路２４へ供給している。
【００１８】
光ディスク種類判別回路２４では、光ピックアップ１３の所定の半径位置において、記録容量別に求めておいた本来のアドレスと、アドレス検出回路２３で得られたアドレスとを比較する。そして、アドレス検出回路２３で得られたアドレスが、記録容量２３ＧＢのＢＤで得られるアドレスであるか、２５ＧＢのＢＤで得られるアドレスであるか、あるいは２７ＧＢのＢＤで得られるアドレスであるかを判別し、この光ディスク種類判別結果は出力端子２７から外部に出力される。尚、この光ディスク種類判別回路２４は周知のＣＰＵを用いて演算処理することも可能である。
【００１９】
次に図２〜図４を用いて上記光ディスク種類判別回路２４の動作を具体的に説明する。
図２は３種のＢＤの半径方向位置とアドレスの関係を示す図であるが、図示するように半径２４ｍｍ位置での物理アドレスはいずれの容量のディスクも0x00100000であり、データ記録領域の最外周である５８ｍｍでの物理アドレスは、記録容量２３ＧＢのＢＤでは0x00BDA25F、２５ＧＢでは0x00CA73FF、２７ＧＢでは0x00D950BFである。
このことからＢＤでは、同半径で記録容量別にアドレスを比較した場合、内周側で読み出されるアドレスには差が少なく、外周に行くほど読み出されるアドレスに差が生じる。
【００２０】
一方で、光ディスクから読み出されるアドレスは、光ピックアップの移動精度や、光ディスクの偏心の影響等により、半径位置によって計算で求められるアドレスに対して誤差が生じる。したがって、検出したアドレスに多少の誤差が含まれていても記録容量の違いにより読み出されるアドレスに十分な差のでる半径位置でもって光ディスクのアドレスを読み取り、記録容量を判別する必要がある。
例えば、光ピックアップの移動精度と、光ディスクの偏心の影響等を±０．４ｍｍと仮定すると、図３に示すように、少なくとも半径４０ｍｍ以上でアドレスを読み取らなければ、記録容量の違いを判別することができるアドレス差が生じない。
【００２１】
次に、図４のフローチャートで光ディスク種類判別回路２４の動作の流れを説明する。
本実施例では、半径４０ｍｍの位置でアドレスを読み取ってＢＤ１１の記録容量を判別するものとする。まず、トラッキング制御回路２１を駆動して光ピックアップ１３を半径４０ｍｍに移動する（ステップＳ１１）。次いで半径４０ｍｍでの基準回転数でスピンドルモータ２９を駆動させる（ステップＳ１２）。次に光ピックアップ１３によりＢＤ１１の信号面を再生し、得られた検出信号によって、フォーカス制御（ステップＳ１３）と、トラッキング制御（ステップＳ１４）と、回転数制御（ステップＳ１５）の各サーボ駆動を行う。
【００２２】
次に、アドレス検出回路２３によってアドレスを取得する（ステップＳ１６）。次いで取得したアドレスを光ディスク種類判別回路２４へ入力し判別を行う。判別は、まずアドレスが0x0052000以下であるかを判定し（ステップＳ１７）、ＹＥＳであれば記録容量が２３ＧＢのＢＤであると判別する（ステップＳ１８）。ＮＯであれば、次いでアドレスが0x00570000以上であるか判定する（ステップＳ１９）。ＮＯであれば記録容量が２５ＧＢのＢＤであると判別し（ステップＳ２０）、ＹＥＳであれば、記録容量が２７ＧＢのＢＤであると判別する（ステップＳ２１）。
このようにして得られた光ディスク種類判別結果を用いてディスクの記録容量別に各種の設定を行う（ステップＳ２２）。
【００２３】
尚、本実施例では判別を行う位置を半径４０ｍｍの位置に設定したが、この位置は前記したように、ＢＤの各種記録容量の同半径でのアドレス差と、光ピックアップの移動精度や光ディスクの偏心の大きさ等から勘案して値を適宜変更することが可能である。同様に、記録容量を判別する境界アドレスの値についても変更が可能である。
【００２４】
以上詳述したように、本発明によれば、ディスクの記録容量情報を読み出すことなく装填されている光ディスクの記録容量種類を判別することができるので、ディスクの記録容量が未定のままで動作する不安定な状態を早い時期に回避できるようになる。また、ディスクの記録容量情報を読み出す処理を省略できることから、光ディスクの起動処理を高速化することが可能となる。
また、本発明による判別手段を他の光ディスク判別手段と組み合わせて使うことにより、光ディスクの種類判別の迅速化と高精度化を図ることもできる。
【図面の簡単な説明】
【００２５】
【図１】本発明に係る光ディスク装置の構成を示すブロック図である。
【図２】Blu-ray Discの各種記録容量別の半径とアドレスの関係を示す図である。
【図３】半径４０ｍｍ近辺におけるBlu-ray Discの各種記録容量別の半径とアドレスの関係を示す図である。
【図４】本発明に係る光ディスク装置の判別動作を説明するためのフローチャートである。
【符号の説明】
【００２６】
１１・・・ＢＤ（Blu-ray Disc）
１２・・・ターンテーブル
１３・・・光ピックアップ
１４・・・プリアンプ
１５・・・フォーカスエラー信号検出回路
１６・・・トラッキングエラー信号検出回路
１７・・・ＲＦ信号検出回路
１８・・・ウォブル信号検出回路
１９・・・クロック生成回路
２０・・・フォーカス制御回路
２１・・・トラッキング制御回路
２２・・・再生信号処理回路
２３・・・アドレス検出回路
２４・・・光ディスク種類判別回路
２５、２６、２７・・・出力端子
２８・・・スピンドルモータ駆動制御回路
２９・・・スピンドルモータ
【図１】
2006228364.tif 000003
【図２】
2006228364.tif 000004
【図３】
2006228364.tif 000005
【図４】
2006228364.tif 000006